(57)【特許請求の範囲】
【請求項１】
口頸部２を起立した容器体Ａと、
上記口頸部２の上部内面へ水密に嵌合させた嵌合筒３上端から外向きフランジ４と第１内向きフランジ５とを、それぞれ突設し、外向きフランジ４を口頸部２上面へ載置させると共に、第１内向きフランジ５のフランジ孔内縁から案内筒６を起立した保持部材Ｂと、
上記口頸部２外面へ嵌合させた周壁８上端から第２内向きフランジ９を突設し、該第２内向きフランジ下面で上記外向きフランジ４を挟持させると共に、第２内向きフランジ９上面から截頭円錐形状の蛇腹筒１０を上方突設し、該蛇腹筒上端開口へ筒上端面を球面状に形成した流出筒１１を貫設させ、かつ該流出筒下部外面を上記案内筒６内面へ上下動自在に水密嵌合させた塗布部材Ｃと、
コイル下部を上記案内筒６外面へ嵌合させると共に、コイル上端を上記蛇腹筒１０上端の開口縁へ当接させて上記流出筒１１を上方付勢させたコイルばねＤとを有する、
ことを特徴とする液体塗布容器。
【請求項２】
上記流出筒１１の上端部内面を小内径に形成すると共に、該小内径部の上部を下方小径のテーパ流出孔１３に形成し、
かつ上記塗布部材Ｃ外面へ筒下端内面を嵌合させると共に、筒上面を閉塞する頂壁１８下面中央部から下方小径のテーパ状突起１９を垂下し、該テーパ状突起を上記テーパ流出孔１３内面へ嵌合させたキャップＥを有し、
該キャップ筒の上下長さを、テーパ状突起１９をテーパ流出孔１３内面へ嵌合させ、かつ上記コイルばねＤの付勢力に抗して流出筒１１を押し下げることによりキャップ筒下端を塗布部材Ｃ外面へ嵌合させる長さに定めた、
ことを特徴とする請求項１記載の液体塗布容器。
【発明の詳細な説明】
【０００１】
【発明の属する技術分野】
本発明は毛髪剤等の液体を頭部等の塗布面に塗布する液体塗布容器に関する。
【０００２】
【従来の技術】
毛髪剤等の液体を頭部等に塗布する液体塗布容器として、胴部から口頸部を起立し、該口頸部外面へ螺合自在なキャップで口頸部を閉塞させるものが知られている。
【０００３】
【発明が解決しようとする課題】
上記従来例では液体を頭部に塗布する場合、一方の手で容器を持ち、他方の手で液体をすりこむようにしているため手に液体が付着していた。
また、閉栓はキャップを口頸部外面へ螺合させることにより行うが、キャップの締付けがゆるい場合や、キャップの締付けがゆるんだりした場合には口頸部から液体が漏出することがあった。
【０００４】
請求項１記載の液体塗布容器は、流出筒を伸縮自在な蛇腹筒で支持させることにより容器自体で頭部への液体のすりこみを可能にすると共に、コイルばねで流出筒を上方付勢させることにより蛇腹筒の復元を迅速にし、かつ、過度の押圧力を吸収させると共に、蛇腹筒の疲労に起因する弾性減少を補うものである。
【０００５】
請求項２記載の液体塗布容器は、上記請求項１記載の液体塗布容器が有する解決課題を有するほか、コイルばねの付勢力により流出筒をキャップへ常時押当させることにより、流出筒のシールを常時保持可能としてキャップ締付け不足の場合の液体漏出防止を図るものである。
【０００６】
【課題を解決するための手段】
第１の手段として、口頸部２を起立した容器体Ａと、
上記口頸部２の上部内面へ水密に嵌合させた嵌合筒３上端から外向きフランジ４と第１内向きフランジ５とを、それぞれ突設し、外向きフランジ４を口頸部２上面へ載置させると共に、第１内向きフランジ５のフランジ孔内縁から案内筒６を起立した保持部材Ｂと、
上記口頸部２外面へ嵌合させた周壁８上端から第２内向きフランジ９を突設し、該第２内向きフランジ下面で上記外向きフランジ４を挟持させると共に、第２内向きフランジ９上面から截頭円錐形状の蛇腹筒１０を上方突設し、該蛇腹筒上端開口へ筒上端面を球面状に形成した流出筒１１を貫設させ、かつ該流出筒下部外面を上記案内筒６内面へ上下動自在に水密嵌合させた塗布部材Ｃと、
コイル下部を上記案内筒６外面へ嵌合させると共に、コイル上端を上記蛇腹筒１０上端の開口縁へ当接させて上記流出筒１１を上方付勢させたコイルばねＤとを有する。
【０００７】
第２の手段として、上記第１の手段を有すると共に、上記流出筒１１の上端部内面を小内径に形成すると共に、該小内径部の上部を下方小径のテーパ流出孔１３に形成し、
かつ上記塗布部材Ｃ外面へ筒下端内面を嵌合させると共に、筒上面を閉塞する頂壁１８下面中央部から下方小径のテーパ状突起１９を垂下し、該テーパ状突起を上記テーパ流出孔１３内面へ嵌合させたキャップＥを有し、
該キャップ筒の上下長さを、テーパ状突起１９をテーパ流出孔１３内面へ嵌合させ、かつ上記コイルばねＤの付勢力に抗して流出筒１１を押し下げることによりキャップ筒下端を塗布部材Ｃ外面へ嵌合させる長さに定めた。
【０００８】
【発明の実施の形態】
以下、本発明の実施形態を図面を参照しながら説明する。
Ａは容器体で、周壁１上端部から肩部を介して口頸部２を起立し、該口頸部外面に雄ねじを形成する。
【０００９】
Ｂは保持部材で、口頸部２の上端部内面へ嵌合筒３を水密に嵌合させ、かつ、該嵌合筒３上端から外向きフランジ４と第１内向きフランジ５とをそれぞれ突設する。そして、外向きフランジ４を口頸部２上端面へ載置させると共に、第１内向きフランジ５のフランジ孔内縁から案内筒６を起立する。７は外向きフランジ４の内周部上面から起立する外筒である。
【００１０】
Ｃは塗布部材で、内面に雌ねじを有する周壁８を口頸部２外面へ螺合させ、該周壁上端から第２内向きフランジ９を突設し、該第２内向きフランジで外向きフランジ４を口頸部２上端面へ押圧させると共に、第２内向きフランジ９内面を外筒７外面へ嵌合させる。
第２内向きフランジ９上面から截頭円錐形状の蛇腹筒１０を上方突設し、該蛇腹筒上端開口へ流出筒１１を貫設させる。該流出筒の下端外面から下方大径のテーパ筒１２を下方突設し、該テーパ筒の下端開口縁を案内筒６の上部内面へ上下動自在に、かつ、水密に嵌合させる。
【００１１】
また、流出筒１１上端部を上端面が上方へ膨出する球形状に形成すると共に、請求項２記載のように流出筒１１の上端部内面を小内径に形成し、該小内径部の上部を下方小径のテーパ流出孔１３に形成する。さらに、流出筒１１の上下方向中間部外面を大外径部１４に形成する。該大径部下面は案内筒６上面へ当接自在な下向き段部１５を形成する。なお、１６は蛇腹筒１０下端部外面に周設した第１係合突条である。
【００１２】
Ｄはコイルばねで、コイル下部を案内筒６外面へ嵌合させると共に、コイル上端部を大外径部１４外面へ嵌合させると共に、コイル上端を蛇腹筒１０上端の開口縁へ当接させて流出筒１１を上方付勢する。
【００１３】
本発明に係る液体塗布容器は、さらに、請求項２記載のようにキャップＥを有する。該キャップは筒下端内面に第２係合突条１７を周設し、該第２係合突条を第１係合突条１６へ係合させている。また、キャップ筒上面を閉塞する頂壁１８の下面中央部から下方小径のテーパ状突起１９を垂下し、該テーパ状突起をテーパ流出孔１３内面へ嵌合させる。なお、キャップ筒下端内面は上記に限らず周壁８外面へ嵌合させてもよい。
【００１４】
さらに、流出筒１１とキャップＥとのシールを保持させるべく、キャップＥの筒上下長さは、テーパ状突起１９をテーパ流出孔１３内面へ嵌合させ、かつ、コイルばねＤの付勢力に抗して流出筒１１を押し下げることによりキャップ筒下端を塗布部材Ｃ外面へ、図示例では第１係合突条１６へ係合させる長さに定める。
【００１５】
次に本実施形態の作用について説明する。
液体を塗布するには、図１に示す閉栓状態からキャップＥをはずして塗布部材Ｃを露出させた後、図２に示すように容器体を倒立させて流出筒１１を塗布面２０へ押し付けて容器体を上下動させればよく、すると蛇腹筒１０が伸縮して流出筒１１から液体が流出する。この状態で容器体を適当方向へ動かすことにより塗布面へ流出した液体が塗布面へすりこまれる。
【００１６】
閉栓する場合は、キャップＥのテーパ状突起１９をテーパ流出孔１３内面へ嵌合させた後、コイルばねＤの付勢力に抗し蛇腹筒１０を縮ませて流出筒１１を押し下げることによりキャップＥの第２係合突条１７を第１係合突条１６へ係合させる。
【００１７】
【発明の効果】
請求項１記載の液体塗布容器は、流出筒を伸縮自在な蛇腹筒で支持させたので、容器を適当方向へ動かすことにより頭部へ流出した液体を容器自体で頭部へすりこませることができ、従って、手に液体が付着することがなく、しかも、流出筒で頭部を軽くたたくことにより刺激を与えることもできる。
また、コイルばねで流出筒を上方付勢したので、蛇腹筒の復元が速やかに行われると共に、過度の押圧力が吸収されるため塗布面への押圧力がほぼ均等になり、かつ、蛇腹筒の疲労に起因する弾性減少が補われる。
【００１８】
請求項２記載の液体塗布容器は、コイルばねで流出筒を上方付勢したので、キャップの締付けがゆるい場合や、ゆるんだ場合でもキャップと流出筒との間に隙間が生ずることがなく、このため流出筒からの液体漏出を防止することができる。
【図面の簡単な説明】
【図１】本発明に係る液体塗布容器の閉栓状態を示す半断面図。
【図２】同じく、使用状態を示す半断面図。
【符号の説明】
１  周壁
２  口頸部
３  嵌合筒
４  外向きフランジ
５  第１内向きフランジ
６  案内筒
８  周壁
９  第２内向きフランジ
１０  蛇腹筒
１１  流出筒
１３  テーパ流出筒
１９  テーパ状突起
Ａ  容器体
Ｂ  保持部材
Ｃ  塗布部材
Ｄ  コイルばね
Ｅ  キャップ
【図１】
0003667516.tif 000002
【図２】
0003667516.tif 000003